(57)【要約】【課題】手洗い後の手の乾燥を良好に行わせることができるとともに、トイレ等の室内の除菌及び脱臭を効果的に行わせることができる送風装置を提供する。【解決手段】所定位置Ｐに人の手があることを検知する検知手段１と、所定位置Ｐに向かって空気を噴出させて送風し得る送風手段２と、オゾンエアーを発生させるとともに、その発生したオゾンエアーを送風手段２の送風に混入させ得るオゾンエアー発生手段３と、検知手段１により人の手を検知したとき、送風手段２及びオゾンエアー発生手段３を作動させる制御手段４とを具備した送風装置において、制御手段４は、検知手段１で人の手を検知しないとき、検知手段１で人の手を検知したときと比べて弱い送風力にて送風手段２を作動させるとともに、その送風にオゾンエアー発生手段３で発生したオゾンエアーを混入させるものである。【選択図】図４
2020078471.tif 000002
【特許請求の範囲】
【請求項１】
所定位置に人の手があることを検知する検知手段と、
前記所定位置に向かって空気を噴出させて送風し得る送風手段と、
オゾンエアーを発生させるとともに、その発生したオゾンエアーを前記送風手段の送風に混入させ得るオゾンエアー発生手段と、
前記検知手段により人の手を検知したとき、前記送風手段及びオゾンエアー発生手段を作動させる制御手段と、
を具備した送風装置において、
前記制御手段は、前記検知手段で人の手を検知しないとき、当該検知手段で人の手を検知したときと比べて弱い送風力にて前記送風手段を作動させるとともに、その送風に前記オゾンエアー発生手段で発生したオゾンエアーを混入させることを特徴とする送風装置。
【請求項２】
前記検知手段、送風手段、オゾンエアー発生手段及び制御手段が配設された筐体を具備するとともに、前記所定位置が当該筐体の外部であることを特徴とする請求項１記載の送風装置。
【請求項３】
前記制御手段は、前記弱い送風力で前記送風手段を作動させているとき、前記検知手段で人の手を検知するまで当該作動を継続させることを特徴とする請求項１又は請求項２記載の送風装置。
【請求項４】
前記検知手段で人の手を検知しなくなった時点から所定時間経過したことを検知するタイマを有するとともに、前記制御手段は、当該タイマにて所定時間経過したことを検知したことを条件として、前記送風手段及びオゾンエアー発生手段を停止させることを特徴とする請求項１又は請求項２記載の送風装置。
【発明の詳細な説明】
【技術分野】
【０００１】
本発明は、トイレ等の室内における手洗い場所の近傍に配設され、手洗い後の人の手に送風して乾燥させ得る送風装置に関するものである。
【背景技術】
【０００２】
送風装置は、通常、トイレ等の室内における手洗い場所の近傍に配設され、手洗い後の手を所定位置に差し出すと、その手に対して送風して水気を飛ばすことにより乾燥させ得るよう構成されている。従来の送風装置として、例えば特許文献１にて開示されているように、オゾンエアーを発生させ得るよう構成されており、オゾンエアーが混入した送風にて手洗い後の手を乾燥させ得るものが挙げられる。
【先行技術文献】
【特許文献】
【０００３】
【特許文献１】実用新案登録第３０２８６２１号公報
【発明の概要】
【発明が解決しようとする課題】
【０００４】
しかしながら、上記の如き従来技術においては、検知手段が手を検知したとき、オゾンエアーが混入した送風を発生させ、その送風がトイレ等の室内に至って除菌及び脱臭が可能とされているものの、検知手段が手を検知しない状態では、当該送風が発生しないので、トイレ等内にオゾンエアーを至らせることができず、除菌及び脱臭効果が乏しいという問題があった。
【０００５】
本発明は、このような事情に鑑みてなされたもので、手洗い後の手の乾燥を良好に行わせることができるとともに、トイレ等の室内の除菌及び脱臭を効果的に行わせることができる送風装置を提供することにある。
【課題を解決するための手段】
【０００６】
請求項１記載の発明は、所定位置に人の手があることを検知する検知手段と、前記所定位置に向かって空気を噴出させて送風し得る送風手段と、オゾンエアーを発生させるとともに、その発生したオゾンエアーを前記送風手段の送風に混入させ得るオゾンエアー発生手段と、前記検知手段により人の手を検知したとき、前記送風手段及びオゾンエアー発生手段を作動させる制御手段とを具備した送風装置において、前記制御手段は、前記検知手段で人の手を検知しないとき、当該検知手段で人の手を検知したときと比べて弱い送風力にて前記送風手段を作動させるとともに、その送風に前記オゾンエアー発生手段で発生したオゾンエアーを混入させることを特徴とする。
【０００７】
請求項２記載の発明は、請求項１記載の送風装置において、前記検知手段、送風手段、オゾンエアー発生手段及び制御手段が配設された筐体を具備するとともに、前記所定位置が当該筐体の外部であることを特徴とする。
【０００８】
請求項３記載の発明は、請求項１又は請求項２記載の送風装置において、前記制御手段は、前記弱い送風力で前記送風手段を作動させているとき、前記検知手段で人の手を検知するまで当該作動を継続させることを特徴とする。
【０００９】
請求項４記載の発明は、請求項１又は請求項２記載の送風装置において、前記検知手段で人の手を検知しなくなった時点から所定時間経過したことを検知するタイマを有するとともに、前記制御手段は、当該タイマにて所定時間経過したことを検知したことを条件として、前記送風手段及びオゾンエアー発生手段を停止させることを特徴とする。
【発明の効果】
【００１０】
請求項１の発明によれば、制御手段は、検知手段で人の手を検知しないとき、当該検知手段で人の手を検知したときと比べて弱い送風力にて送風手段を作動させるとともに、その送風にオゾンエアー発生手段で発生したオゾンエアーを混入させるので、手洗い後の手の乾燥を良好に行わせることができるとともに、トイレ等の室内の除菌及び脱臭を効果的に行わせることができる。
【００１１】
請求項２の発明によれば、検知手段、送風手段、オゾンエアー発生手段及び制御手段が配設された筐体を具備するとともに、所定位置が当該筐体の外部であるので、オゾンエアーを混入させた送風をトイレ等の室内に円滑に至らせることができ、トイレ等の室内の除菌及び脱臭をより効果的に行わせることができる。
【００１２】
請求項３の発明によれば、制御手段は、弱い送風力で送風手段を作動させているとき、検知手段で人の手を検知するまで当該作動を継続させるので、オゾンエアーを混入させた送風をトイレ等の室内に円滑且つ十分に至らせることができ、トイレ等の室内の除菌及び脱臭をより確実且つ効果的に行わせることができる。
【００１３】
請求項４の発明によれば、検知手段で人の手を検知しなくなった時点から所定時間経過したことを検知するタイマを有するとともに、制御手段は、当該タイマにて所定時間経過したことを検知したことを条件として、送風手段及びオゾンエアー発生手段を停止させるので、送風装置を長期に亘って使用しない場合、送風手段及びオゾンエアー発生手段が長期に亘って作動してランニングコストが嵩んでしまうのを防止することができる。
【図面の簡単な説明】
【００１４】
【図１】本発明の第１の実施形態に送風装置を示す全体模式図
【図２】同送風装置における制御手段による制御内容を示すフローチャート
【図３】同送風装置における時間経過に伴う送風量の変化を示すタイミングチャート
【図４】本発明の第２の実施形態に送風装置を示す全体模式図
【図５】同送風装置における制御手段による制御内容を示すフローチャート
【図６】同送風装置における時間経過に伴う送風量の変化を示すタイミングチャート
【発明を実施するための形態】
【００１５】
以下、本発明の実施形態について図面を参照しながら具体的に説明する。
第１の実施形態に係る送風装置は、トイレ等の室内における手洗い場所の近傍に配設され、手洗い後の人の手に風をあてて乾燥させ得るもので、図１に示すように、検知手段１と、送風手段２と、オゾンエアー発生手段３と、制御手段４と、電源スイッチ５と、フィルタ６と、筐体Ｃとを有して構成されている。
【００１６】
筐体Ｃは、本送風装置の構成部品である検知手段１、送風手段２、オゾンエアー発生手段３及び制御手段４等が配設された箱状のもので、所定位置には、電源スイッチ５が取り付けられている。そして、電源スイッチ５をオンすることにより、検知手段１、送風手段２、オゾンエアー発生手段３及び制御手段４等に電力が供給されて作動可能とされるとともに、電源スイッチ５をオフすることにより、検知手段１、送風手段２、オゾンエアー発生手段３及び制御手段４等に対する電力供給が停止される。
【００１７】
検知手段１は、所定位置Ｐに人の手があることを検知するもので、例えば赤外線センサ等から成る。すなわち、所定位置Ｐに手を差し出すと、その手を検知手段１が検知して、所定の検知信号を発生させ、例えば制御手段４に当該検知信号を送信し得るようになっている。また、所定位置Ｐから手を遠ざけると、検知手段１で人の手を検知しなくなるので、制御手段４にて人の手が所定位置Ｐから離れたことを把握することができる。さらに、本実施形態においては、検知手段１にて人の手を検知可能な所定位置Ｐは、筐体Ｃの外部（具体的には、筐体Ｃの下方の位置であって送風手段２で空気が噴出可能な位置）とされている。
【００１８】
送風手段２は、所定位置に向かって空気を噴出させて送風し得るもので、例えばブロア等から成る。具体的には、送風手段２の吸い込み側には、導入路Ａが形成されており、外部の空気を取り込み得るよう構成されるとともに、送風手段２の吐出側には、吐出路Ｂが形成されており、導入路Ａから取り込んだ空気を所定位置Ｐに向かって吐出口Ｂａから噴出させて送風し得るよう構成されている。なお、導入路Ａには、外部の空気に混入した異物を捕捉し得るフィルタ６が取り付けられている。
【００１９】
オゾンエアー発生手段３は、オゾンエアーを発生させるとともに、その発生したオゾンエアーを送風手段２の送風に混入させ得るものである。かかるオゾンエアー発生手段３は、所謂オゾンエアーを発生させ得るものであれば足り、例えば無声放電方式によるもの、コロナ放電方式によるもの、或いはいくつかの放電方式を組み合わせた複合放電方式によるもの等を用いることができる。具体的には、対向した２つの電極間に誘電体を置き、電極間に数千サイクルの交流高電圧を印加して放電（無声放電）を生じさせるとともに、電極間のギャップに空気（又は高濃度の酸素）を流通させるものが挙げられる。この場合、放電による加速電子の働きにより、酸素分子の一部が２つの酸素原子に解離し、その解離した酸素原子が他の酸素分子と反応してオゾンが生成されることとなる。
【００２０】
なお、放電方式とは異なる他の形態のオゾンエアー発生手段３としてもよく、例えば紫外線ランプを用いる光化学法によりオゾンを生成可能なもの、電気分解を用いる電解法によりオゾンを生成可能なもの等としてもよい。このようなオゾンエアー発生手段３にて生成したオゾンは、微生物（細菌、真菌など）や臭気物質に作用して、殺菌消毒及び脱臭の他、色素類の脱色も可能とされている。
【００２１】
制御手段４は、検知手段１により人の手を検知したとき、送風手段２及びオゾンエアー発生手段３を作動させるためのもので、例えばマイコン等から成る。具体的には、制御手段４は、検知手段１、送風手段２及びオゾンエアー発生手段３とそれぞれ電気的に接続されており、検知手段１からの検知信号を受信したことを条件として、送風手段２及びオゾンエアー発生手段３に制御信号を送信して作動させ得るようになっている。
【００２２】
一方、本実施形態に係る送風手段２は、送風量が多くて強い送風力にて作動する第１作動モードと、第１作動モード時より送風量が少なくて弱い送風力にて作動する第２作動モードとの切り替えが可能とされるとともに、検知手段１にて人の手が所定位置Ｐにあることを検知すると、制御手段４は、送風手段２を第１作動モードにて作動（強い送風力にて作動）させるようになっている。
【００２３】
ここで、本実施形態に係る制御手段４は、検知手段１で人の手を検知しないとき、当該検知手段１で人の手を検知したときと比べて弱い送風力（第２作動モード）にて送風手段２を作動させるとともに、その送風にオゾンエアー発生手段３で発生したオゾンエアーを混入させるよう構成されている。すなわち、本実施形態に係る制御手段４は、図３に示すように、検知手段１で人の手を検知するまでは、弱い送風力（第２作動モード）で送風手段２を作動させておき、検知手段１が人の手を検知すると、送風手段２の作動を強い送風力（第１作動モード）に切り替えるようになっている。
【００２４】
その後、検知手段１で人の手を検知しなくなったとき、再び弱い送風力（第２作動モード）で送風手段２を作動させる。このように、本実施形態に係る制御手段４は、弱い送風力（第２作動モード）で送風手段２を作動させているとき、検知手段１で人の手を検知するまで当該作動（すなわち、第２作動モードによる作動）を継続させるよう構成されている。
【００２５】
次に、本実施形態に係る制御手段４による制御内容について、図２のフローチャートに基づいて説明する。なお、送風手段２が作動する際は、オゾンエアー発生手段３も作動するようになっている。
先ず、電源スイッチ５をオンにすると、Ｓ１にてオゾンエアー発生手段３が作動するとともに、弱い送風力（第２作動モード）で送風手段２が作動（ファン弱作動）し、Ｓ２にて検知手段１による人の手の検知があるか否か判定される。そして、Ｓ２にて検知手段１による人の手の検知があると判定されると、Ｓ３に進み、送風手段２が第２作動モードから第１作動モードに切り替えられ、強い送風力で送風手段２が作動（ファン強作動）する。
【００２６】
かかるファン強作動（Ｓ３）によって、所定位置Ｐに差し出された手に向かって強い送風力にて空気が噴出されるので、比較的短時間で手の水気を吹き飛ばして乾燥させることができるとともに、オゾンエアーによって手の殺菌消毒を行うことができる。一方、Ｓ２にて検知手段１による人の検知があると判定されない場合、ファン弱作動（Ｓ１）が継続して行われるので、吐出口Ｂａからは、弱い送風力による送風が行われるとともに、その送風にオゾンエアー発生手段３で発生したオゾンエアーを混入させてトイレ等の室内に拡散させることができる。
【００２７】
その後、Ｓ４にて検知手段１による人の手の検知がないか否か判定され、人の手の検知がないと判定されると、Ｓ１に戻ってファン弱作動が行われるとともに、人の手の検知があると判定された場合は、ファン強作動（Ｓ３）が継続して行われる。しかして、人の手が所定位置Ｐにある場合は、ファン強作動（Ｓ３）が行われて第１作動モードで送風手段２が作動するとともに、人の手が所定位置Ｐにない場合は、ファン弱作動（Ｓ１）が行われて第２作動モードで送風手段２が作動するようになっている。
【００２８】
本実施形態によれば、制御手段４は、検知手段１で人の手を検知しないとき、当該検知手段１で人の手を検知したときと比べて弱い送風力にて送風手段２を作動させるとともに、その送風にオゾンエアー発生手段３で発生したオゾンエアーを混入させるので、手洗い後の手の乾燥を良好に行わせることができるとともに、トイレ等の室内の除菌及び脱臭を効果的に行わせることができる。
【００２９】
また、本実施形態によれば、検知手段１、送風手段２、オゾンエアー発生手段３及び制御手段４が配設された筐体Ｃを具備するとともに、所定位置Ｐが当該筐体Ｃの外部であるので、オゾンエアーを混入させた送風をトイレ等の室内に円滑に至らせることができ、トイレ等の室内の除菌及び脱臭をより効果的に行わせることができる。特に、本実施形態に係る制御手段４は、弱い送風力で送風手段を作動させているとき、検知手段１で人の手を検知するまで当該作動を継続させるので、オゾンエアーを混入させた送風をトイレ等の室内に円滑且つ十分に至らせることができ、トイレ等の室内の除菌及び脱臭をより確実且つ効果的に行わせることができる。
【００３０】
次に、本発明に係る第２の実施形態の送風装置について説明する。
本実施形態に係る送風装置は、第１の実施形態と同様、トイレ等の室内における手洗い場所の近傍に配設され、手洗い後の人の手に風をあてて乾燥させ得るもので、図４に示すように、検知手段１と、送風手段２と、オゾンエアー発生手段３と、制御手段４と、電源スイッチ５と、フィルタ６と、タイマ７と、筐体Ｃとを有して構成されている。なお、第１の実施形態と同様の構成部品については同一の符号を付し、それらの詳細な説明を省略する。
【００３１】
ここで、本実施形態に係る送風装置は、筐体Ｃ内にタイマ７を具備している。かかるタイマ７は、制御手段４等と電気的に接続されており、検知手段１で人の手を検知しなくなった時点から所定時間経過したことを検知することが可能とされている。そして、本実施形態に係る制御手段４は、タイマ７にて所定時間経過したことを検知したことを条件として、送風手段２及びオゾンエアー発生手段３を停止させるようになっている。
【００３２】
すなわち、本実施形態に係る制御手段４は、図６に示すように、検知手段１で人の手を検知するまでは、送風手段２及びオゾンエアー発生手段３を停止させておき、検知手段１が人の手を検知すると、オゾンエアー発生手段３を作動させるとともに、送風手段２を強い送風力（第１作動モード）で作動させるようになっている。その後、検知手段１で人の手を検知しなくなったとき、第１作動モードから第２作動モードに切り替え、弱い送風力で送風手段２を作動させるとともに、タイマ７によって経過時間が測定される。
【００３３】
そして、  タイマ７にて所定時間経過したことを検知すると、送風手段２及びオゾンエアー発生手段３を停止させる。このように、本実施形態に係る制御手段４は、第１の実施形態と同様、検知手段１で人の手を検知したとき、強い送風力で送風手段２を作動させ、検知手段１で人の手を検知しないとき、当該検知手段１で人の手を検知したときと比べて弱い送風力にて送風手段２を作動させるとともに、その送風にオゾンエアー発生手段３で発生したオゾンエアーを混入させるようになっている。しかるに、本実施形態においては、タイマ７にて所定時間経過したことを検知したことを条件として、送風手段２及びオゾンエアー発生手段３を停止させるようになっている。
【００３４】
次に、本実施形態に係る制御手段４による制御内容について、図５のフローチャートに基づいて説明する。なお、送風手段２が作動する際は、オゾンエアー発生手段３も作動するようになっている。
先ず、電源スイッチ５をオンにすると、Ｓ１にて検知手段１による人の手の検知があるか否か判定される。そして、Ｓ１にて検知手段１による人の手の検知があると判定されると、Ｓ２に進み、オゾンエアー発生手段３が作動するとともに、強い送風力で送風手段２が作動（ファン強作動）する。かかるファン強作動（Ｓ３）によって、所定位置Ｐに差し出された手に向かって強い送風力にて空気が噴出されるので、比較的短時間で手の水気を吹き飛ばして乾燥させることができるとともに、オゾンエアーによって手の殺菌消毒を行うことができる。
【００３５】
その後、Ｓ３にて検知手段１による人の手の検知がないか否か判定され、人の手の検知がないと判定されると、Ｓ４に進み、送風手段２が第１作動モードから第２作動モードに切り替えられ、弱い送風力で送風手段２が作動（ファン弱作動）する。これにより、吐出口Ｂａからは、弱い送風力による送風が行われるとともに、その送風にオゾンエアー発生手段３で発生したオゾンエアーを混入させてトイレ等の室内に拡散させることができる。
【００３６】
そして、Ｓ５に進み、タイマ７によって検知手段１で人の手を検知しなくなった時点から所定時間経過したか否か判定され、所定時間経過したと判定されると、Ｓ６に進み送風手段２及びオゾンエアー発生手段３が停止（ファン停止）するとともに、Ｓ１に戻って再び、検知手段１による人の手の検知があるか否か判定される。なお、Ｓ５にて所定時間経過していないと判定されると、ファン弱作動（Ｓ４）が継続して行われることとなる。
【００３７】
本実施形態によれば、制御手段４は、検知手段１で人の手を検知しないとき、当該検知手段１で人の手を検知したときと比べて弱い送風力にて送風手段２を作動させるとともに、その送風にオゾンエアー発生手段３で発生したオゾンエアーを混入させるので、手洗い後の手の乾燥を良好に行わせることができるとともに、トイレ等の室内の除菌及び脱臭を効果的に行わせることができる。
【００３８】
また、本実施形態によれば、検知手段１、送風手段２、オゾンエアー発生手段３及び制御手段４が配設された筐体Ｃを具備するとともに、所定位置Ｐが当該筐体Ｃの外部であるので、オゾンエアーを混入させた送風をトイレ等の室内に円滑に至らせることができ、トイレ等の室内の除菌及び脱臭をより効果的に行わせることができる。特に、本実施形態に係る制御手段４は、タイマ７にて所定時間経過したことを検知したことを条件として、送風手段２及びオゾンエアー発生手段３を停止させるので、送風装置を長期に亘って使用しない場合、送風手段２及びオゾンエアー発生手段３が長期に亘って作動してランニングコストが嵩んでしまうのを防止することができる。
【００３９】
なお、タイマ７により検知される所定時間は、操作者が任意設定できるよう構成してもよく、送風手段２の送風能力やオゾンエアー発生手段３によるオゾンエアー発生能力に応じて種々設定されていてもよい。また、本実施形態に係る制御手段４は、タイマ７にて所定時間経過したことを検知したことを条件として、送風手段２及びオゾンエアー発生手段３の両方を停止しているが、例えば送風手段２及びオゾンエアー発生手段３の何れか一方のみ停止するようにしてもよい。
【００４０】
以上、本実施形態について説明したが、本発明はこれらに限定されず、例えば制御手段４は、検知手段１で人の手を検知しないとき、当該検知手段１で人の手を検知したときと比べて弱い送風力にて送風手段２を作動させるとともに、オゾンエアー発生手段３によるオゾンエアーの発生量や濃度を任意変更するようにしてもよい。例えば、検知手段１で人の手を検知しないとき、当該検知手段１で人の手を検知したときと比べて弱い送風力にて送風手段２を作動させるとともに、オゾンエアー発生手段３によるオゾンエアーの発生量を多く、或いはオゾンエアーの濃度を高くするようにしてもよく、オゾンエアー発生手段３によるオゾンエアーの発生量を少なく、或いはオゾンエアーの濃度を低くするようにしてもよい。
【００４１】
また、本実施形態においては、人の手を検知する所定位置Ｐが筐体Ｃの外部（下方の位置）とされているが、例えば筐体Ｃの正面側に開口が形成され、その開口内部が人の手を検知し得る所定位置Ｐとしてもよい。なお、筐体Ｃに配設された検知手段１、送風手段２及びオゾンエアー発生手段３は、本実施形態のものに限らず、種々汎用的な部品を使用することができる。
【産業上の利用可能性】
【００４２】
制御手段は、検知手段で人の手を検知しないとき、当該検知手段で人の手を検知したときと比べて弱い送風力にて送風手段を作動させるとともに、その送風にオゾンエアー発生手段で発生したオゾンエアーを混入させる送風装置であれば、外観形状が異なるもの或いは他の機能が付加されたもの等にも適用することができる。
【符号の説明】
【００４３】
１  検知手段
２  送風手段
３  オゾンエアー発生手段
４  制御手段
５  電源スイッチ
６  フィルタ
７  タイマ
Ｃ  筐体
Ａ  導入路
Ｂ  吐出路
Ｂａ  吐出口
Ｐ  所定位置
【図１】
2020078471.tif 000003
【図２】
2020078471.tif 000004
【図３】
2020078471.tif 000005
【図４】
2020078471.tif 000006
【図５】
2020078471.tif 000007
【図６】
2020078471.tif 000008